(57)【要約】【課題】多原色式のカラー表示装置の色分離時、また好ましくは色合成時における不都合を解消し、色再現域が広く、映像表現力に優れ、また小型化も可能な表示装置を提供する。【解決手段】本発明に係る表示装置では、４色以上の原色光を出射可能に構成された多原色光源に、前記原色光より広い波長域の光を出射する主光源と、該主光源の光を原色光Ｒと残部の光（Ｗ−Ｒ）に分離する第１色分離手段２と、該第１色分離手段により分離された前記原色光Ｒ及び残部の光（Ｗ−Ｒ）を、それぞれ複数の原色光Ｒ１，Ｒ２と、原色光Ｇ，Ｂに分離する第２色分離手段３，４と、前記原色光Ｇ，Ｂを原色光Ｇ１，Ｇ２，Ｂ１，Ｂ２に分離する第３色分離手段５，６と、が備えられている。【選択図】        図１
2004286964.tif 000002
【特許請求の範囲】
【請求項１】
光源からの光を複数の原色光に分離する第１のステップと、
該第１のステップにより分離された前記原色光のうち２色以上の原色光をさらに複数の原色光に分離する第２のステップとを有することを特徴とする色分離方法。
【請求項２】
前記第２のステップにおいて、前記第１のステップにより分離された前記原色光は、波長域が隣接する２色以上の原色光に分離されることを特徴とする請求項１に記載の色分離方法。
【請求項３】
それぞれが光変調手段から出射された複数の原色光を合成する第１のステップと、
該第１のステップにより生成された原色光をさらに合成する第２のステップとを有することを特徴とする色合成方法。
【請求項４】
前記第１のステップにおいて、波長域が隣接する原色光が生成されることを特徴とする請求項３に記載の色合成方法。
【請求項５】
４色以上の原色光を出射可能に構成された多原色光源と、前記各原色に対応した画像情報に基づき、前記各原色光を変調する光変調手段と、前記光変調手段の後段に配設された画像重畳手段とを備えた表示装置であって、
前記多原色光源が、前記原色光より広い波長域の光を出射する主光源と、該主光源の光を複数の原色光に分離する第１色分離手段と、該第１色分離手段により分離生成された前記原色光のうち２色以上の原色光を、さらに複数の原色光に分離する複数の第２色分離手段とを備えていることを特徴とする表示装置。
【請求項６】
４色以上の原色光を出射可能に構成された多原色光源と、前記各原色に対応した画像情報に基づき、各原色光を変調する光変調手段と、前記光変調手段の後段に配設された画像重畳手段とを備えた表示装置であって、
前記多原色光源が、前記原色光より広い波長域の光を出射する主光源と、特定色の原色光を出射する補助光源と、前記主光源の光を複数の原色光に分離する第１色分離手段とを備えていることを特徴とする表示装置。
【請求項７】
４色以上の原色光を出射可能に構成された多原色光源と、前記各原色に対応した画像情報に基づき、各原色光を変調する光変調手段と、前記光変調手段の後段に配設された画像重畳手段とを備えた表示装置であって、
前記多原色光源が、前記原色光より広い波長域の光を出射する主光源と、該主光源の光を複数の原色光に分離する第１色分離手段と、該第１色分離手段により分離生成された前記原色光のうち２色以上の原色光を、さらに複数の原色光に分離する複数の第２色分離手段とを備えており、
前記画像重畳手段が、前記光変調手段より出力された原色光を合成する第１色合成手段と、前記第１色合成手段で生成された原色光を合成して表示画像を生成する第２色合成手段とを備えていることを特徴とする表示装置。
【請求項８】
４色以上の原色光を出射可能に構成された多原色光源と、前記各原色に対応した画像情報に基づき、前記各原色光を変調する光変調手段と、前記光変調手段の後段に配設された画像重畳手段とを備えた表示装置であって、
前記画像重畳手段が、前記光変調手段より出力された原色光を合成する第１色合成手段と、前記第１色合成手段で生成された原色光を合成して表示画像を生成する第２色合成手段とを備えていることを特徴とする表示装置。
【請求項９】
前記第１色分離手段により分離された原色光に、赤色光、緑色光、青色光のいずれかが含まれていることを特徴とする請求項５ないし７のいずれか１項に記載の表示装置。
【請求項１０】
前記第１色分離手段により分離された各原色光が、前記第２色分離手段により波長域が隣接する２原色以上に分離されることを特徴とする請求項５ないし７のいずれか１項に記載の表示装置。
【請求項１１】
前記多原色光源に、前記第２色分離手段により分離生成された原色光を、さらに複数の原色光に分離するための色分離手段が備えられていることを特徴とする請求項５、７、９及び１０のいずれか１項に記載の表示装置。
【請求項１２】
前記第１色合成手段により、波長域が隣接する原色光どうしが色合成されることを特徴とする請求項７又は８に記載の表示装置。
【請求項１３】
前記第１色合成手段により、赤色光、青色光、緑色光のいずれかの原色光が合成されることを特徴とする請求項７ないし１２のいずれか１項に記載の表示装置。
【請求項１４】
前記多原色光源に、一又は複数の補助光源が備えられていることを特徴とする請求項５ないし１３のいずれか１項に記載の表示装置。
【請求項１５】
前記補助光源の点灯／消灯状態が切り替え可能とされ、該点灯状態により前記表示画像を構成する原色数を調整可能とされていることを特徴とする請求項１４に記載の表示装置。
【発明の詳細な説明】
【０００１】
【発明の属する技術分野】
本発明は、４原色以上の多原色表示に対応した表示装置、及び係る表示装置に適用できる色分離方法、色合成方法に関するものである。
【０００２】
【従来の技術】
近年、カラー表示が可能な投射型表示装置が実用化されており、その典型的な構成としては、ＲＧＢ３原色の加法混色によるものがある。例えば、ＲＧＢ入力三刺激値にそれぞれ対応する光変調手段と、これらの光変調手段に３原色（Ｒ，Ｇ，Ｂ）の原色光を入射させて変調し、前記各光変調手段を透過した光を重畳して画像の表示を行うものが知られている。しかし、係る構成のカラー表示装置では、上記３原色の加法混色により種々の色を再現するため、その色再現域に自ずと限界がある。そこで、この色再現域を拡大し、カラー表示装置の映像表現力を高めるために原色数を４原色以上に増やした多原色式のカラー表示装置が提案されている（例えば、特許文献１）。
【０００３】
【特許文献１】
特開２０００−３３８９５０号公報
【０００４】
【発明が解決しようとする課題】
上記特許文献１に記載の多色式のカラープロジェクタは、原色の異なる２台以上のプロジェクタを用意し、それらの表示を合成することで原色数を増加させて色再現域の拡大を図っている。しかしながら、この構成では、プロジェクタ本体が２台以上必要となるためにカラー表示装置全体が大型化してしまうという問題がある。また、上記複数台のカラープロジェクタを一体化して小型化するためには、表示装置内部に４原色以上への色分離するための手段を設ける必要がある。すなわち、光源から出射された光をダイクロイックミラー等の光学素子によって分離し原色光を生成することになる。ところが、上記光学素子により所望の原色毎に順次色分離を繰り返していくと、得られた原色光毎に光学素子を透過した回数が異なっているために、前記光学素子等による光損失に差が生じて、各原色光毎に輝度の不均一が生じてしまうという問題がある。
【０００５】
本発明は、上記課題を解決するために成されたものであって、光源からの光を分離して複数の原色光を得るに際して、輝度の均一な原色光を得ることができる色分離方法を提供することを目的としている。
また本発明は、複数の原色光を合成するに際して、前記各原色光間の輝度減衰量を均一化することができる色合成方法を提供することを目的としている。
また本発明は、多原色式のカラー表示装置の色分離時、また好ましくは色合成時における不都合を解消し、色再現域が広く、映像表現力に優れ、また小型化も可能な表示装置を提供することを目的としている。
【０００６】
【課題を解決するための手段】
上記課題を解決するために、本発明の色分離方法は、光源からの光を複数の原色光に分離する第１のステップと、該第１のステップにより分離された前記原色光のうち２色以上の原色光をさらに複数の原色光に分離する第２のステップとを有することを特徴としている。
本発明の色分離方法は、４色以上の原色光を出力可能に構成された多原色光源、及び係る多原色光源と光変調手段とを備えた表示装置に適用して有用な色分離方法である。
この色分離方法によれば、第２のステップにより分離生成される複数の原色光について、いずれの原色光も色分離の第１のステップと第２のステップとを１回ずつ経由した原色光とすることができる。その結果、分離生成された各原色光の輝度に不均一が生じるのを防止することができ、係る原色光を利用した多原色表示を行うならば、優れた色再現性とともに、高品質の表示を得ることができる。
【０００７】
上記色分離方法では、前記第２のステップにおいて、前記第１のステップにより分離された前記原色光は、波長域が隣接する２色以上の原色光に分離されることが好ましい。
この色分離方法によれば、前記原色光を分離生成するに際して、容易に分離生成が可能な、波長域の隣接する２原色光への分離を行うので、波長域の全く異なる原色光を生成する場合に比して、色分離手段として用いる光学素子等の作製が容易であるという利点が得られる。
【０００８】
次に、本発明の色合成方法は、それぞれが光変調手段から出射された複数の原色光を合成する第１のステップと、該第１のステップにより生成された原色光をさらに合成する第２のステップとを有することを特徴とする。
この色合成方法は、前記多原色光源から出射され、各光変調手段により変調された原色光を合成して表示画像を得る表示装置に適用して有用な色合成方法である。
この色合成方法では、上記原色光同士を第１のステップにおいて色合成することで、やや広い波長域の原色光を生成し、次いで、生成された原色光どうしを第２のステップにより色合成するようになっている。従って、上記により生成された合成光（表示装置に適用した場合には画像表示光）に含まれる各原色光の成分が、いずれも第１のステップと、第２のステップとを１回ずつ経由したものとなるので、色合成手段として用いた光学素子等を経由することによる各原色光の減衰量のばらつきを揃えることができ、係る色合成方法を表示装置に適用するならば、色再現性に優れ、高品質の表示画像を得ることができる。
【０００９】
本発明の色合成方法では、前記第１のステップにおいて、波長域が隣接する原色光が生成されることが好ましい。この色合成によれば、波長域が隣接する原色光を色合成することから、波長域の全く異なる原色光同士を色合成する場合に比して、色合成手段として用いる光学素子等の作製が容易であるという利点が得られる。
【００１０】
次に、上記課題を解決するために、本発明の第１の表示装置は、４色以上の原色光を出射可能に構成された多原色光源と、前記各原色に対応した画像情報に基づき、前記各原色光を変調する光変調手段と、前記光変調手段の後段に配設された画像重畳手段とを備えた表示装置であって、前記多原色光源が、前記原色光より広い波長域の光を出射する主光源と、該主光源の光を複数の原色光に分離する第１色分離手段と、該第１色分離手段により分離生成された前記原色光のうち２色以上の原色光を、さらに複数の原色光に分離する複数の第２色分離手段とを備えていることを特徴とする。
係る構成の表示装置では、多原色光源から出射される４色以上の原色光を得るための色分離を、上記第１色分離手段による色分離と、第２色分離手段による色分離との２ステップ構成としており、第１色分離手段で分離生成された複数の原色光を、第２色分離手段により２色以上の原色光に分離するようになっている。このような構成とすることで、第２色分離手段により分離生成される４色以上の原色光について、いずれの原色光も第１色分離手段と第２色分離手段とを１回ずつ経由して生成された原色光とすることができる。その結果、上記光変調手段に供給される原色光の輝度に不均一が生じるのを防止することができ、多原色表示による優れた色再現性とともに、表示品質にも優れる表示装置を提供することができる。
【００１１】
本発明の第２の表示装置は、４色以上の原色光を出射可能に構成された多原色光源と、前記各原色に対応した画像情報に基づき、各原色光を変調する光変調手段と、前記光変調手段の後段に配設された画像重畳手段とを備えた表示装置であって、前記多原色光源が、前記原色光より広い波長域の光を出射する主光源と、特定色の原色光を出射する補助光源と、前記主光源の光を複数の原色光に分離する第１色分離手段とを備えていることを特徴とする。
係る構成の表示装置では、多原色光源から出射される原色光のうち、少なくとも１色以上の原色光は上記補助光源により提供されるので、前記主光源からの色分離数を抑えることができ、もって原色光間の輝度の不均一が抑えられた多原色光源とすることができる。これにより、表示品質に優れる表示装置を提供することができる。
【００１２】
本発明の第３の表示装置は、４色以上の原色光を出射可能に構成された多原色光源と、前記各原色に対応した画像情報に基づき、各原色光を変調する光変調手段と、前記光変調手段の後段に配設された画像重畳手段とを備えた表示装置であって、前記多原色光源が、前記原色光より広い波長域の光を出射する主光源と、該主光源の光を複数の原色光に分離する第１色分離手段と、該第１色分離手段により分離生成された前記原色光のうち２色以上の原色光を、さらに複数の原色光に分離する複数の第２色分離手段とを備えており、前記画像重畳手段が、前記光変調手段より出力された原色光のうち、波長域の隣接する原色光同士を合成する第１色合成手段と、前記第１色合成手段で生成された原色光を合成して表示画像を生成する第２色合成手段とを備えていることを特徴とする。
係る構成の表示装置は、多原色光源に上記第１色分離手段及び第２色分離手段が備えられていることで、先の構成で説明したように多原色光源から光変調手段に供給される原色光の輝度の不均一を抑えることができ、かつ光変調手段を経由した原色光を色合成するに際して、上記第１色合成手段と第２色合成手段とを用いて各原色光の色合成を行うので、表示画像を構成する原色光の輝度の不均一を抑えることができる。従って、本構成によれば、色再現域が広く、かつ高画質の表示が得られる表示装置を提供することができる。
【００１３】
本発明の第４の表示装置は、４色以上の原色光を出射可能に構成された多原色光源と、前記各原色に対応した画像情報に基づき、前記各原色光を変調する光変調手段と、前記光変調手段の後段に配設された画像重畳手段とを備えた表示装置であって、前記画像重畳手段が、前記光変調手段より出力された原色光のうち、波長域の隣接する原色光同士を合成する第１色合成手段と、前記第１色合成手段で生成された原色光を合成して表示画像を生成する第２色合成手段とを備えていることを特徴とする。
係る構成の表示装置では、前記多原色光源から出射され、各光変調手段により変調された原色光を合成して表示画像を得るに際して、まず、上記原色光のうち波長域の隣接する原色光同士を第１色合成手段により色合成することによって、やや広い波長域の原色光を生成し、次いで、これらの原色光を第２色合成手段により色合成することで表示画像を生成するようになっている。従って、表示画像に含まれる各原色光は、第１色合成手段と、第２色合成手段とを１回ずつ経由したものとなり、光変調手段により変調された後に各色合成手段を経由することによる原色光の減衰量のばらつきを揃えることができ、その結果、色再現性に優れ、高品質の表示画像を得ることができる。
【００１４】
本発明の表示装置では、前記第１色分離手段により分離された原色光に、赤色光、緑色光、青色光のいずれかが含まれている構成とすることもできる。ここで言う「赤、緑、青」の色光とは、ＸＹＺ表色系における色度座標において例えば以下の範囲で表される色である。
赤（０．５０＜ｘ＜０．７５、０．１５＜ｙ＜０．４０）
緑（０．００＜ｘ＜０．３０、０．５０＜ｙ＜０．８５）
青（０．０５＜ｘ＜０．２５、０．００＜ｙ＜０．４０）
この構成によれば、前記第１色分離手段として、従来から用いられているＲＧＢの３原色分離用の光学素子を利用することができるため、色分離精度の高い光学素子を安価に利用でき、表示装置の製造コストの低減を図ることができる。
【００１５】
本発明の表示装置では、前記第１色分離手段により分離された各原色光が、前記第２色分離手段により波長域が隣接する２原色以上に分離される構成とすることもできる。
この構成によれば、４原色以上の原色光を分離生成するに際して、容易に分離生成が可能な、波長域の隣接する２原色光への分離を行うので、波長域の全く異なる原色光を生成する場合に比して、色分離手段として用いる光学素子等の作製が容易であり、もって表示装置の製造コストの低減にも寄与することができる。
【００１６】
本発明の表示装置では、前記多原色光源に、前記第２色分離手段により分離生成された原色光を、さらに複数の原色光に分離するための色分離手段が備えられている構成とすることもできる。この構成によれば、さらに原色数の多い表示装置を、原色光間の輝度に不均一を生じさせることなく実現することができる。
【００１７】
本発明の表示装置では、前記第１色合成手段により、波長域が隣接する原色光どうしが色合成されることが好ましい。この構成によれば、波長域が隣接する原色光を色合成することから、波長域の全く異なる原色光同士を色合成する場合に比して、色合成手段としても用いる光学素子等の作製が容易であり、もって表示装置の製造コストの低減にも寄与する。
【００１８】
本発明の表示装置では、前記第１色合成手段により、赤色光、青色光、緑色光のいずれかの原色光が合成されることが好ましい。ここで言う「赤、緑、青」の色光とは、ＸＹＺ表色系における色度座標において例えば以下の範囲で表される色である。
赤（０．５０＜ｘ＜０．７５、０．１５＜ｙ＜０．４０）
緑（０．００＜ｘ＜０．３０、０．５０＜ｙ＜０．８５）
青（０．０５＜ｘ＜０．２５、０．００＜ｙ＜０．４０）
この構成によれば、前記表示画像を生成するための第２色合成手段として、従来から用いられているＲＧＢの３原色光を合成するための光学素子等を用いることができるため、構成が簡素であり、製造容易性に優れる表示装置を実現できる。
【００１９】
本発明の表示装置では、前記多原色光源に、一又は複数の補助光源が備えられている構成とすることもできる。この構成によれば、前記主光源の色分離数を抑え、原色光間の輝度の不均一が抑えられた多原色光源とすることができ、表示品質に優れる表示装置を提供できる。前記補助光源から供給される原色光は、前記主光源の色分離により得られる原色光のいずれかと波長域が隣接することが好ましく、係る構成とすることで、表示画像を得るための色合成時に、波長域が連続する原色光どうしを色合成することができるため、色合成手段として用いられる光学素子等の作製が容易になるという利点がある。
【００２０】
本発明の表示装置では、前記補助光源の点灯／消灯状態を切り替え可能とされ、該点灯状態により前記表示画像を構成する原色数を調整可能とされていてもよい。この構成によれば、例えば表示画像の種類に応じて原色数を自在に調整可能な表示装置を提供することができる。
【００２１】
【発明の実施の形態】
（第１実施形態）
以下、本発明の実施の形態を図面を参照して説明する。本実施形態の表示装置は、６原色表示のカラー表示装置であり、上記６色の原色光を光変調手段に供給する多原色光源の構成に特徴を有している。
図１は、本実施形態のカラー表示装置で用いられている多原色光源の構成を模式的に示す図であり、図２（ａ）、（ｂ）は、それぞれ図１に示す多原色光源の光路中での色分離状態と、図１に示す多原色光源の光路の終端における色分離状態を示す模式図である。
図１に示すように、本実施形態に係る多原色光源では、まず主光源から出射された白色光Ｗを第１色分離手段２により原色光Ｒと原色光（Ｗ−Ｒ）とに分離し、次いで、前記原色光（Ｗ−Ｒ）を第２色分離手段３によりＲＧＢ表色系の三刺激値の原色光Ｇ，Ｂに色分離するとともに、前記第１色分離手段２で分離生成された原色光Ｒを他の第２色分離手段４により波長域が隣接する原色光Ｒ１，Ｒ２に分離する。さらに、上記第２色分離手段３により生成された原色光Ｇ，Ｂを、それぞれ第３色分離手段５，６により波長域が隣接する２つの原色光に色分離して原色光Ｇ１，Ｇ２，Ｂ１，Ｂ２を得るようになっている。そして、以上の色分離プロセスにより得られた６色の原色光Ｒ１，Ｒ２，Ｇ１，Ｇ２，Ｂ１，Ｂ２を、光変調手段２１〜２６に対して供給するようになっている。
すなわち、本実施形態に係る多原色光源にあっては、上記色分離手段２，３により、図２（ａ）に示すように、やや広い波長域の原色光Ｒ，Ｇ，Ｂに色分離し、しかる後、色分離手段４〜６により、図２（ｂ）に示すように、比較的狭い波長域の原色光Ｒ１，Ｒ２，Ｇ１，Ｇ２，Ｂ１，Ｂ２に色分離するようになっている。
【００２２】
本実施形態の表示装置は、上記方法により白色光Ｗから６色の原色光を得るようにしたことで、光変調手段２１〜２６に入射する原色光間で輝度の不均一が生じるのを効果的に防止することができるようになっている。具体的には、光変調手段２１に入射する原色光Ｒ１は第１色分離手段２及び第２色分離手段４により色分離された原色光であり、光変調手段２３に入射する原色光Ｇ１は、第１色分離手段２、第２色分離手段３、及び第３色分離手段５により色分離された原色光であり、光変調手段２５に入射する原色光Ｂ１は、第１色分離手段２、第２色分離手段３及び第３色分離手段６により色分離された原色光である。従って、上記原色光Ｒ１（及び原色光Ｒ２）はその生成のために色分離手段を経た回数が２回であり、原色光Ｇ１（Ｇ２），Ｂ１（Ｂ２）はその生成のために色分離手段を経た回数が３回である。このように、本表示装置では各原色光で色分離手段を経由する回数がほぼ揃えられており、その結果、色分離手段（光学素子）を通過することによる光強度の減衰量が各原色光Ｒ１，Ｒ２，…で不均一になり難くなり、均一な輝度の原色光を光変調手段２１〜２６に入射させることができるようになっている。
【００２３】
ここで、さらに従来の多原色表示装置と、本実施形態の表示装置とを比較する。図８は、従来から用いられている４色以上の原色光を得るための多原色光源の構成を模式的に示す図である。この図に示すように、従来４原色以上の多原色表示を実現する場合には、光源から出射された白色光Ｗから、色分離手段Ｂ１により原色光Ｒ１を分離し、次いで、原色光Ｒ１が分離された光（Ｗ−Ｒ１）から色分離手段Ｂ２により原色光Ｒ２を分離し、以下同様に順次Ｇ１，Ｇ２，Ｂ１，Ｂ２を色分離し、得られた原色光を光変調手段ＬＶ１〜ＬＶ６に対して入射させるようになっていた。係る方法により分離された原色光Ｒ１，Ｒ２，…では、その原色光を分離生成するための色分離手段が後段になるほど、色分離手段を透過した回数が増加し、最初に分離された原色光Ｒ１では色分離手段を透過した回数が１回であるのに対し、最後に分離された原色光Ｂ１，Ｂ２では色分離手段を透過した回数が５回になっている。これに対して、上記本実施形態に係る多原色光源では、各原色光で色分離手段を透過した回数が２回又は３回であり、本実施形態の表示装置において、色分離手段を経由することによる輝度の減衰量に原色光間で差異が生じ難くなっているのは明確である。
【００２４】
また、本実施形態では、上記第２色分離手段４及び第３色分離手段５，６において、各原色光Ｒ，Ｇ，Ｂからそれぞれ波長域が隣接する原色光（Ｒ１とＲ２、Ｇ１とＧ２、Ｂ１とＢ２）を生成するようになっているので、色分離手段４〜６における色分離を高精度に行うことができ、目的の波長域の原色光が容易に得られるようになっている。また、色分離手段４〜６として用いられる光学素子（例えばダイクロイックミラー等）の対応波長域を狭くすることができるため、上記光学素子の作製が容易であるという利点もある。
【００２５】
さらに本実施形態では、上記第１色分離手段２及び第２色分離手段３により、赤色光、緑色光、青色光の３原色光Ｒ，Ｇ，Ｂを生成することができるようになっている。この構成とすれば、前記第１色分離手段２、第２色分離手段３として用いるダイクロイックミラー等の光学素子に、従来から用いられている光学素子を適用することができ、これによりカラー表示装置を安価に構成できるという利点が得られる。
【００２６】
［変形例］
以上の実施の形態では、６原色表示の表示装置を実現するための構成について説明したが、以下では図３及び図４を参照しつつ、４原色表示及び５原色表示の表示装置の構成について説明する。図３は、本発明に係る４原色対応の表示装置における多原色光源の構成を模式的に示す図であり、図４は、同、５原色対応の表示装置における多原色光源の構成を模式的に示す図である。
【００２７】
図３に示す多原色光源では、まず、主光源から出射された白色光Ｗから第１色分離手段Ａ１により原色光Ｇを色分離し、次いで、得られた原色光Ｇを第２色分離手段Ａ２１により色分離して原色光Ｇ１，Ｇ２を得る一方、前記原色光Ｇと分離された光（Ｗ−Ｇ）を他の第２色分離手段Ａ２２により原色光Ｒ，Ｂを得るようになっている。そして、得られた原色光Ｇ１，Ｇ２，Ｒ，Ｂをそれぞれ光変調手段ＬＶ１〜ＬＶ４に対して照射するようになっている。この構成では、多原色光源から出射される原色光Ｇ１，Ｇ２，Ｒ，Ｂは、第１色分離手段Ａ１と、第２色分離手段Ａ２１，Ａ２２のいずれかとを１回ずつ経由して生成された原色光であり、従って、上記色分離手段の経由数が揃えられ、これらの原色光における輝度の不均一はほぼ生じない。
【００２８】
次に、図４に示す５原色対応の多原色光源では、主光源から出射された白色光Ｗから、第１色分離手段Ａ１により原色光Ｒを分離生成し、次いで、前記原色光Ｒを第２色分離手段Ａ２１により色分離して原色光Ｒ１，Ｒ２を得る。また、前記原色光Ｒを分離された後の光（Ｗ−Ｒ）から、他の第２色分離手段Ａ２２により原色光Ｒ，Ｂを分離生成し、前記原色光Ｇから、さらに第３色分離手段Ａ３により原色光Ｇ１，Ｇ２を分離生成するようになっている。そして、得られた原色光Ｒ１，Ｒ２，Ｇ１，Ｇ２，Ｂをそれぞれ光変調手段ＬＶ１〜ＬＶ５に対して照射するようになっている。
この構成では、多原色光源から出射される原色光のうち、原色光Ｒ１，Ｒ２，Ｂは色分離手段を２回経由して生成された原色光であり、原色光Ｇ１，Ｇ２は色分離手段を３回経由して生成された原色光である。ここで、図８に示した多原色光源で５色の原色光を得る場合には、色分離手段を経由する回数が１〜４回であるので、本実施形態に係る多原色光源によれば、輝度の均一性に優れた５色の原色光が得られ、もって表示品質に優れる５原色対応のカラー表示装置を構成することができる。
【００２９】
尚、多原色式のカラー表示装置の多原色光源としては、周方向に複数のカラーフィルタ（例えばダイクロイックミラーを用いる）が配列されたカラーホイールを用いたものが挙げられるが、カラーホイール方式では、光変調手段に照射される原色光が時分割されるため、光利用効率を向上させるのが困難であるという問題がある。これに対して、本実施形態に係る多原色光源は、４色以上の原色光を同時に光変調手段に照射でき、高輝度の表示が得られるという利点を有している
【００３０】
（第２実施形態）
次に、本発明の第２実施形態について図５を参照して説明する。本実施形体の表示装置は、６原色対応のカラー表示装置であって、光変調手段により変調された６色の原色光から表示画像を得る画像重畳手段に特徴を有するものである。図５は、上記本実施形態のカラー表示装置における画像重畳手段を示す模式構成図である。この図に示す各原色光のうち、原色光Ｒ１とＲ２、原色光Ｇ１とＧ２、原色光Ｂ１とＢ２はそれぞれ波長域が隣接する原色光とされている。
図５に示すように、本実施形態に係る画像重畳手段では、各光変調手段２１〜２６により適宜変調された後の原色光Ｒ１，Ｒ２，Ｇ１，Ｇ２，Ｂ１，Ｂ２を、まず第１色合成手段３１〜３３により、前記各原色光に比してやや広い波長域を有する原色光Ｒ、Ｇ，Ｂに色合成し、次いで、これらの原色光Ｒ，Ｇ，Ｂを第２色合成手段３５により色合成して表示画像を生成するようになっている。
【００３１】
本実施形態の表示装置は、上記構成により光変調手段２１〜２６で変調された各原色光Ｒ１，Ｒ２，Ｇ１，…を色合成して表示画像を得るようにしたことで、表示画像に含まれる各原色の輝度に不均一が生じて表示品質が低下するのを効果的に防止できるようになっている。具体的には、表示画像に重畳された原色光のうち、原色光Ｒ１は、光変調手段２１から出射された後、第１色合成手段３１によって、光変調手段２２から出射された原色光Ｒ２と色合成されて原色光Ｒを生成し、次いで第２色合成手段３５により、他の原色光Ｇ，Ｂと色合成されて表示画像を生成する。また、原色光Ｇ１は、光変調手段２３から出射された後、第１色合成手段３２により、光変調手段２４から出射された原色光Ｇ２と色合成されて原色光Ｇを生成し、次いで第２色合成手段３５により、他の原色光Ｒ，Ｂと色合成されて表示画像を生成する。従って、上記原色光Ｒ１，Ｇ１は、表示画像を生成するに際して色合成手段を経由した回数が、いずれも第１色合成手段、第２色合成手段で各１回ずつであり、他の原色光Ｒ２，Ｇ２，Ｂ１，Ｂ２についても同様である。このように、本表示装置では、表示画像に重畳された各原色光で、色合成手段の経由回数が揃えられており、その結果、色合成手段に備えられた光学素子等を通過することによる光強度の減衰量を各原色光で揃えることができる。従って本実施形態によれば、表示画像を構成する各原色光に輝度の不均一が生じるのを防止でき、高品質の表示画像が得られる。
【００３２】
また、本実施形態では、上記第１色合成手段３１〜３３において、波長域が隣接する原色光同士（Ｒ１とＲ２、Ｇ１とＧ２、Ｂ１とＢ２）を色合成するようになっているので、第１色合成手段３１〜３３による色合成を高精度に行うことができ、もって表示品質を高められるようになっている。また、第１色合成手段３１〜３３の対応波長域を狭くすることができるので、色合成手段として用いられる光学素子等の作製が容易であるという利点もある。
【００３３】
さらに、本実施形態では、上記第１色合成手段３１〜３３により生成された原色光Ｒ，Ｇ，Ｂをそれぞれ赤色光、緑色光、青色光の３原色光とすることができ、これにより、その後の第２色合成手段として設けられる光学素子に、従来から利用されている３原色用のダイクロイックプリズム等を適用できるようになっている。従って、本実施形態のカラー表示装置は、表示画像の生成を高精度に行うことができる色合成手段を、安価に得られるという利点も有している。
【００３４】
【実施例】
以下、実施例により本発明をさらに詳細に説明する。
［第１実施例］
図６は、本発明に係る表示装置の第１実施例である投射型カラー表示装置の概略構成図である。
本実施例のカラー表示装置は、６原色（Ｒ１，Ｒ２，Ｇ１，Ｇ２，Ｂ１，Ｂ２）のそれぞれに対応する液晶ライトバルブ（光変調手段）を備えた多原色式のカラー表示装置であり、先の第１実施形態に係る多原色光源と、第２実施形態に係る画像重畳手段とを備えて構成されている。図６中、符号１０１は主光源、１０２〜１０６は色分離手段として機能するダイクロイックミラー、１１０〜１１６は反射ミラー、１２１〜１２６は液晶ライトバルブ（光変調手段）、１３１〜１３３は色合成手段として機能するダイクロイックミラー、１３５はダイクロイックプリズム、１３６は投射レンズ、１３７はスクリーンをそれぞれ示している。
【００３５】
本実施例における主光源１０１としては、例えば高圧水銀ランプと、そのランプの光を反射させるリフレクタとを組み合わせたものを用いることができ、これらとともにフライアレイレンズ等の光を均一化させる光学素子を組み合わせて用いることもできる。主光源１０１の前面側に配設された偏光変換素子１０２としては、例えば偏光ビームスプリッタアレイ（ＰＢＳアレイ）と１／２波長板とを組み合わせた素子等を用いることができる。
また本実施例では、光変調手段として透過型の液晶ライトバルブを用いているが、反射型の液晶ライトバルブやＤＭＤ（デジタルミラーデバイス）等も問題なく適用することができる。
【００３６】
ダイクロイックミラー１０２は、主光源１０１からの光束のうち、赤色光（原色光）Ｒを透過させるとともに、青色光Ｂ、緑色光Ｇを反射させるものであり、ダイクロイックミラー１０２を透過した赤色光Ｒはダイクロイックミラー１０４に入射して原色光Ｒ１，Ｒ２に分離される。そして、これらの原色光Ｒ１，Ｒ２はそれぞれ反射ミラー１１０，１１１により反射された後、液晶ライトバルブ１２１，１２２に入射するようになっている。
【００３７】
一方、ダイクロイックミラー１０２で反射された光のうち、緑色光（原色光）Ｇは、ダイクロイックミラー１０３で反射された後、ダイクロイックミラー１０５により原色光Ｇ１，Ｇ２に分離される。そして、これらの原色光Ｇ１，Ｇ２は、それぞれ反射ミラー１１２，１１３で反射された後、液晶ライトバルブ１２３，１２４に入射するようになっている。
ダイクロイックミラー１０３を透過された青色光（原色光）Ｂは、反射ミラー１１６で反射された後、ダイクロイックミラー１０６により原色光Ｂ１，Ｂ２に分離される。そして、これらの原色光Ｂ１，Ｂ２はそれぞれ反射ミラー１１４，１１５により反射された後、液晶ライトバルブ１２５，１２６に入射するようになっている。
【００３８】
上記本実施例のカラー表示装置においては、主光源１０１の光束から原色光Ｒを分離するために配設されたダイクロイックミラー１０２が、本発明に係る第１色分離手段を成しており、前記原色光Ｒを分離後の光から原色光Ｇ，Ｂを分離生成するために配設されたダイクロイックミラー１０３と、前記原色Ｒから原色光Ｒ１，Ｒ２を分離生成するためのダイクロイックミラー１０４とが、本発明に係る第２色分離手段を成しており、前記原色光Ｇ，Ｂからそれぞれ原色光Ｇ１，Ｇ２，Ｂ１，Ｂ２を分離生成するために配設されたダイクロイックミラー１０５，１０６が、第３の色分離手段を成す構成となっている。そして、主光源１０１と、この主光源１０１と液晶ライトバルブ１２１〜１２６との間に配設されたダイクロイックミラー等が、本発明に係る多原色光源を構成している。
【００３９】
次に、上記構成の多原色光源により液晶ライトバルブ１２１〜１２６に入射した各原色光は、それぞれの液晶ライトバルブによって、入力された画像情報に基づき変調される。そして、液晶ライトバルブ１２１を透過した原色光Ｒ１と、液晶ライトバルブ１２２を透過した原色光Ｒ２は、ダイクロイックミラー１３１により、やや広い波長域の赤色光Ｒへと色合成されてダイクロイックプリズム１３５の一面に入射する。一方、液晶ライトバルブ１２３を透過した原色光Ｇ１と、液晶ライトバルブ１２４を透過した原色光Ｇ２は、ダイクロイックミラー１３２により、やや広い波長域の緑色光Ｇへと色合成されてダイクロイックプリズム１３５の一面に入射する。また、液晶ライトバルブ１２５を透過した原色光Ｂ１と、液晶ライトバルブ１２６を透過した原色光Ｂ２は、ダイクロイックミラー１３３により、やや広い波長域の青色光Ｂへと色合成されてダイクロイックプリズム１３５の一面に入射する。そして、上記原色光Ｒ，Ｇ，Ｂがダイクロイックプリズム１３５により重畳されて投射レンズ１３６に入射し、表示画像をスクリーン１３７に投影するようになっている。
従って、本実施例では、上記ダイクロイックミラー１３１〜１３３が本発明に係る第１色合成手段を成し、ダイクロイックプリズム１３５が本発明に係る第２色合成手段を成し、これら第１色合成手段及び第２色合成手段が、本発明に係る画像重畳手段を成している。
【００４０】
このように、本実施例の投射型カラー表示装置では、液晶ライトバルブ（光変調手段）に対して、先の色分離方法により主光源から分離した原色光Ｒ１，Ｒ２，Ｇ１，Ｇ２，Ｂ１，Ｂ２を入射させるようになっていることで、液晶ライトバルブ１２１〜１２６に対して均一な輝度の原色光を入射させることができ、また、液晶ライトバルブ１２１〜１２６により変調された後の原色光を、先の色合成方法により重畳して表示画像を得るようになっているので、表示画像を構成する各原色光の輝度に不均一が生じず、高品質の表示画像が得られるカラー表示装置とされている。
【００４１】
上記実施例では、色合成手段として機能するダイクロイックミラー１３１〜１３３と、ダイクロイックプリズム１３５とが別々の光学素子として設けられている構成としているが、前記ダイクロイックプリズム１３５の各面に、ダイクロイックミラー１３１〜１３３がそれぞれ光学接着された構成のダイクロイックプリズムも適用することができる。その場合には、カラー表示装置の小型化が容易になり、またダイクロイックミラー１３１〜１３３とダイクロイックプリズム１３５との光軸合わせが不要になる。
【００４２】
［第２実施例］
次に、本発明の第２実施例を図７を参照して以下に説明する。図７は本実施例の投射型カラー表示装置の概略構成図である。本実施例のカラー表示装置も、上記第１実施例と同様に、６原色（Ｒ１，Ｒ２，Ｇ１，Ｇ２，Ｂ１，Ｂ２）表示のカラー表示装置であり、それぞれの原色に対応する液晶ライトバルブ（光変調手段）を備えている。図７中、符号１０１は主光源、１５１〜１５３は補助光源、１４１，１４２は色分離手段として機能するダイクロイックミラー、１４３，１５０は反射ミラー、１４４〜１４９は液晶ライトバルブ（光変調手段）、１５５〜１５７は色合成手段として機能するダイクロイックミラー、１３５はダイクロイックプリズム、１３６は投射レンズ、１３７はスクリーンをそれぞれ示している。尚、図７中、図６と同一の符号は先の第１実施例と共通の構成要素を示している。
【００４３】
本実施例のカラー表示装置では、図７に示すように、液晶ライトバルブ１４５，１４７，１４９に対して原色光Ｒ２，Ｇ２，Ｂ２を入射させるための補助光源１５１〜１５３が設けられており、主光源１０１からの色分離により生成された原色光Ｒ１，Ｇ１，Ｂ１と併せて６原色表示が可能になっている。従って、本実施例のカラー表示装置では、主光源１０１と、この主光源１０１からの光束を色分離するためのダイクロイックミラー１４１，１４２と、上記補助光源１５１〜１５３とが、本発明に係る多原色光源を成すものとされている。
上記補助光源１５１〜１５３としては、例えばＬＥＤ（発光ダイオード）を点光源配置したものや、面光源配置したもの等を用いることができる。
尚、本実施例において、上記原色光Ｒ１，Ｒ２は色相が赤の原色光、原色光Ｇ１，Ｇ２は色相が緑の原色色、原色光Ｂ１，Ｂ２は色相が青の原色光とされている。
【００４４】
本実施例での表示装置では、主光源１０１から出射された光束は、まず、ダイクロイックミラー１４１により原色光Ｒ１とそれ以外の成分に色分離され、次いで、ダイクロイックミラー１４２により原色光Ｇ１，Ｂ１に色分離される。そして、上記各原色光Ｒ１，Ｇ１，Ｂ１は、それぞれ液晶ライトバルブ１４４，１４６，１４８に入射するようになっている。一方、補助光源１５１〜１５３から出射された原色光Ｒ２，Ｇ２，Ｂ２は、それぞれ液晶ライトバルブ１４５，１４７，１４９に入射するようになっている。
【００４５】
次いで、上記各液晶ライトバルブ１４４〜１４９で変調された各原色光は、まず、波長域が隣接する原色光同士で色合成される。すなわち、原色光Ｒ１，Ｒ２がダイクロイックミラー１５５により色合成され、原色光Ｇ１，Ｇ２がダイクロイックミラー１５６により色合成され、原色光Ｂ１，Ｂ２がダイクロイックミラー１５７により色合成される。そして、上記ダイクロイックミラー１５５〜１５７で色合成された各原色光がダイクロイックプリズム１３５の各面に入射して色合成され、投射レンズ１３６を介して表示画像をスクリーン１３７に投影するようになっている。
従って、本実施例の表示装置の色合成プロセスでは、図６に示した第１実施例における画像重畳手段と同様に、ダイクロイックミラー１５５〜１５７による色合成と、ダイクロイックプリズム１３５による色合成の２ステップ構成になっている。すなわち、上記ダイクロイックミラー１５５〜１５７が本発明に係る第１色合成手段を成し、ダイクロイックプリズム１３５が本発明に係る第２色合成手段を成し、これら第１色合成手段及び第２色合成手段が、本発明に係る画像重畳手段を成している。
【００４６】
以上の構成の本実施例の表示装置では、その多原色光源に補助光源１５１〜１５３が備えられてることで、主光源１０１の光束から色分離される原色数が３原色以下となり、主光源１０１から色分離された原色光Ｒ１，Ｇ１，Ｂ１間で輝度の不均一が生じにくくなっている。また、液晶ライトバルブ１４４〜１４９を透過した後の色合成プロセスが、先の第１実施例と同様に、波長域が隣接する原色光同士を色合成する第１ステップと、この第１ステップで色合成された原色光を色合成して表示画像を得る第２ステップとから構成されていることで、表示画像に重畳される各原色光が経由する色合成手段（ダイクロイックミラー１５５〜１５７、ダイクロイックプリズム１３５）数が揃えられ、これらの色合成手段を経由することにより生じる輝度の減衰量に差異が生じるのを防止でき、色再現性に優れた高品質の表示画像を得られるようになっている。
【００４７】
また、本実施例では、補助光源１５１〜１５３を備えていることで、主光源１０１から分離生成される原色光Ｒ１，Ｇ１，Ｂ１に対して独立に原色光Ｒ２，Ｇ２，Ｂ２の輝度や色度等を制御できるようになっている。これにより、高精度かつ自由度の高い原色光の制御が可能になり、表示装置の色再現性を向上させることが可能になっている。さらには、補助光源１５１〜１５３は、その点灯状態も切替自在であるため、表示装置の原色数を自在に変更でき、例えば表示画像に応じて原色数を増減し、３原色カラー表示と多原色カラー表示との切替を行うことも極めて容易に行えるようになっている。
【００４８】
本実施例のように、光変調手段として偏光を利用する液晶ライトバルブ等を用いる場合には、補助光源１５１〜１５３に偏光変換素子を設けることが好ましく、係る構成とすることで、補助光源の光利用効率が向上し、高輝度の表示画像を得ることができる。
【００４９】
尚、本実施例のカラー表示装置においても、先の第１実施例と同様に、ダイクロイックミラー１５５〜１５７が、ダイクロイックプリズム１３５の各面に光学接着されたダイクロイックプリズムを用いることができ、本実施例においても、装置の小型化が容易になり、光軸合わせが不要になるという利点が得られる。
【図面の簡単な説明】
【図１】図１は、本発明の第１実施形態に係る多原色光源を示す概略構成図。
【図２】図２（ａ）は、多原色光源の光路中途における色分離状態を示す図、図２（ｂ）は、多原色光源の光路終端における色分離状態を示す図。
【図３】図３は、第１実施形態の変形例における多原色光源を示す概略構成図。
【図４】図４は、第１実施形態の変形例における多原色光源を示す概略構成図。
【図５】図５は、第２実施形態に係る画像重畳手段を示す概略構成図。
【図６】図６は、本発明の第１実施例の概略構成図。
【図７】図７は、本発明の第２実施例の概略構成図。
【図８】図８は、従来の多原色光源を示す構成図。
【符号の説明】
２，Ａ１…第１色分離手段、  ３，４，Ａ２１，Ａ２２…第２色分離手段、  ５，６，Ａ３…第３の色分離手段、  ２１〜２６、ＬＶ１〜ＬＶ６…光変調手段、  ３１〜３３…第１色合成手段、  ３５…第２色合成手段、  １０１…主光源、１５１〜１５３…補助光源、  Ｒ，Ｇ，Ｂ，Ｒ１，Ｒ２，Ｇ１，Ｇ２，Ｂ１，Ｂ２…原色光
【図１】
2004286964.tif 000003
【図２】
2004286964.tif 000004
【図３】
2004286964.tif 000005
【図４】
2004286964.tif 000006
【図５】
2004286964.tif 000007
【図６】
2004286964.tif 000008
【図７】
2004286964.tif 000009
【図８】
2004286964.tif 000010